(57)【要約】【課題】回線が接続不能な状態であっても、接続先の状況を把握できるようにすること。【解決手段】プレゼンス情報記憶領域は、回線交換型ネットワークを介して通信するノードの最終の通信履歴情報を記憶する。そして、プレゼンス情報変換部は、回線交換型ネットワークを介した発信元ノードと発信先ノードとの回線が確立できなかった場合に、プレゼンス情報記憶領域に記憶された発信先ノードの最終の通信履歴情報を、発信元ノードが解釈可能な形式の情報に変換する。そして、プレゼンス情報通知部は、プレゼンス情報変換部によって変換された発信先ノードの最終の通信履歴情報を発信元ノードに通知する。【選択図】        図２
2013229822.tif 000002
【特許請求の範囲】
【請求項１】
回線交換型ネットワークを介して通信するノードが最後に実行した通信の履歴情報をノードごとに記憶する記憶部と、
前記回線交換型ネットワークを介した発信元ノードと発信先ノードとの回線が確立できなかった場合に、前記記憶部に記憶された前記発信先ノードの前記履歴情報を、前記発信元ノードが解釈可能な形式の情報に変換する変換部と、
前記変換部によって変換された前記発信先ノードの履歴情報を前記発信元ノードに通知する通知部と、
を備えたことを特徴とする情報流通装置。
【請求項２】
前記記憶部は、前記ノードが最後に実行した通信の履歴情報として、前記ノードの最後の発信及び着信の情報を記憶し、
前記通知部は、前記発信元ノードと前記発信先ノードとの回線が確立できなかった場合に、当該発信先ノードの最後の発信及び着信の情報のうち、最新の情報を前記発信元ノードに通知することを特徴とする請求項１に記載の情報流通装置。
【請求項３】
前記ノードの前記回線交換型ネットワークを介した通信において回線が確立された場合に、前記記憶部に記憶された前記履歴情報を更新する更新部をさらに備えたことを特徴とする請求項１又は２に記載の情報流通装置。
【請求項４】
回線交換型ネットワークに含まれる装置によって実行される情報流通方法であって、
前記装置は、
回線交換型ネットワークを介して通信するノードが最後に実行した通信の履歴情報をノードごとに記憶する記憶部を備え、
前記回線交換型ネットワークを介した発信元ノードと発信先ノードとの回線が確立できなかった場合に、前記記憶部に記憶された前記発信先ノードの前記履歴情報を、前記発信元ノードが解釈可能な形式の情報に変換する変換工程と、
前記変換工程によって変換された前記発信先ノードの履歴情報を前記発信元ノードに通知する通知工程と、
を含んだことを特徴とする情報流通方法。
【請求項５】
回線交換型ネットワークを介した発信元ノードと発信先ノードとの回線が確立できなかった場合に、前記回線交換型ネットワークを介して通信するノードが最後に実行した通信の履歴情報をノードごとに記憶する記憶部に記憶された前記発信先ノードの前記履歴情報を、前記発信元ノードが解釈可能な形式の情報に変換する変換ステップと、
前記変換ステップによって変換された前記発信先ノードの履歴情報を前記発信元ノードに通知する通知ステップと、  
を装置に実行させることを特徴とする情報流通プログラム。
【発明の詳細な説明】
【技術分野】
【０００１】
この発明は、情報流通装置、情報流通方法及び情報流通プログラムに関する。
【背景技術】
【０００２】
従来、通信の送受信間で回線が設定される回線交換型通信においては、大規模災害等の突発的事象が生じた場合に、回線が輻輳し、接続不能になることがある。このような場合には、ユーザに対して回線が繋がらない旨のみが伝えられる。その結果、ユーザは、再度回線の接続を試みることとなり、多くの場合その輻輳状態が長時間に及んでしまう。
【０００３】
そこで、このような状況を緩和する方法として、例えば、「災害用伝言ダイヤル」などが知られている。例えば、「災害用伝言ダイヤル」は、ユーザが特定の番号に設定された伝言板により伝言の録音・再生を行うことで、安否確認などの発信量の絶対量を減らし、回線が輻輳して接続不能な状態になることを抑止する。
【先行技術文献】
【特許文献】
【０００４】
【特許文献１】特開２００７−３１２２９９号公報
【非特許文献】
【０００５】
【非特許文献１】「災害用伝言ダイヤル」、[online]、[平成２４年４月１０日検索]インターネット＜http://www.ntt-east.co.jp/saigai/voice171/images/manual.pdf＞
【発明の概要】
【発明が解決しようとする課題】
【０００６】
しかしながら、上述した従来技術では、接続先の状況が把握できなくなる場合があった。例えば、「災害用伝言ダイヤル」は、大規模災害等の非常時に使用されるシステムであり、平時は使用されないため、ユーザが非常時に使用方法が分からずに録音できず、探したい人の番号が登録されていないなどの問題が生じることとなる。かかる場合、安否確認を行いたいユーザは、被災者が本当に安全な状態にないために登録されていないのか、或いは、単に登録していないだけなのか区別できない。その結果、安否確認を行いたいユーザは、不安が更に増大され、リダイヤルを行うこととなり、更なる輻輳を生む可能性がある。
【０００７】
そこで、本願に係る技術は、上述した従来技術の問題に鑑みてなされたものであって、回線が接続不能な状態であっても、接続先の状況を把握できるようにすることを可能にする情報流通装置、情報流通方法及び情報流通プログラムを提供することを目的とする。
【課題を解決するための手段】
【０００８】
上述した課題を解決し、目的を達成するために、本願に係る情報流通装置は、回線交換型ネットワークを介して通信するノードが最後に実行した通信の履歴情報をノードごとに記憶する記憶部と、前記回線交換型ネットワークを介した発信元ノードと発信先ノードとの回線が確立できなかった場合に、前記記憶部に記憶された前記発信先ノードの前記履歴情報を、前記発信元ノードが解釈可能な形式の情報に変換する変換部と、前記変換部によって変換された前記発信先ノードの履歴情報を前記発信元ノードに通知する通知部とを備えたことを特徴とする。
【発明の効果】
【０００９】
本願に係る情報流通装置、情報流通方法及び情報流通プログラムは、回線が接続不能な状態であっても、接続先の状況を把握できるようにすることを可能にする。
【図面の簡単な説明】
【００１０】
【図１】図１は、第１の実施形態に係る回線交換型ネットワークの構成の一例を示す図である。
【図２】図２は、第１の実施形態に係るエッジの構成の一例を示す図である。
【図３】図３は、第１の実施形態に係るプレゼンス情報記憶領域に記憶されるプレゼンス情報の一例を示す図である。
【図４Ａ】図４Ａは、第１の実施形態に係る変換情報記憶領域に記憶されるノード情報の一例を示す図である。
【図４Ｂ】図４Ｂは、第１の実施形態に係る変換情報記憶領域に記憶される変換情報の一例を示す図である。
【図５】図５は、第１の実施形態に係る回線交換型ネットワークにおける第１の処理の手順を示すシーケンス図である。
【図６】図６は、第１の実施形態に係る回線交換型ネットワークにおける第２の処理の手順を示すシーケンス図である。
【図７】図７は、第１の実施形態に係るエッジによるプレゼンス情報の流通のタイミングの一例を示す図である。
【図８】図８は、第１の実施形態に係るプレゼンス情報の流通の第１のタイミングにおける処理の手順を示すシーケンス図である。
【図９】図９は、第２の実施形態に係る情報流通プログラムを実行するコンピュータを示す図である。
【発明を実施するための形態】
【００１１】
以下に添付図面を参照して、本願に係る情報流通装置、情報流通方法及び情報流通プログラムの実施形態を詳細に説明する。なお、以下では、回線交換型ネットワークに含まれるエッジを本願に係る情報流通装置として機能させた場合を例に挙げて説明する。また、本願に係る情報流通装置、情報流通方法及び情報流通プログラムは、以下の実施形態により限定されるものではない。
【００１２】
（第１の実施形態）
まず、回線交換型ネットワークの一例を説明する。図１は、第１の実施形態に係る回線交換型ネットワークの構成の一例を示す図である。図１に示すように、第１の実施形態に係る回線交換型ネットワーク３００は、エッジ１００Ａ〜エッジ１００Ｃを有し、回線交換型通信が行われる。すなわち、回線交換型ネットワークにおいては、通信の開始から終了まで回線又は仮想的な通信路が占有されて通信が行われる。
【００１３】
エッジ１００Ａ〜エッジ１００Ｃは、図１に示すように、ノード２００Ａ〜ノード２００Ｄがそれぞれ接続される。そして、エッジ１００Ａ〜エッジ１００Ｃは、ノード２００Ａ〜ノード２００Ｄ間の通信にかかる回線交換などを行う。また、エッジ１００Ａ〜エッジ１００Ｃは、図１に示すように、変換装置と、プレゼンス用ＤＢ（database）とを有し、回線が接続不能な状態になることを抑止するための各種処理を実行する。なお、各種処理については、後に詳述する。エッジ１００Ａ〜エッジ１００Ｃは、例えば、回線交換機などである。また、図１においては、エッジ１００Ａ〜エッジ１００Ｃの３つのエッジが示されているが、実際には、さらに多数のエッジが回線交換型ネットワーク３００に含まれる。
【００１４】
ノード２００Ａ〜ノード２００Ｄは、回線交換型ネットワーク３００を介して通信を実行する。ノード２００Ａ〜ノード２００Ｄは、例えば、固定電話、携帯電話、ＦＡＸ、ＰＣ（Personal  Computer）などである。なお、図１においては、ノード２００Ａ〜ノード２００Ｄの４つのノードが示されているが、実際には、さらに多数のノードがエッジ接続される。
【００１５】
次に、第１の実施形態に係るエッジ１００Ａ〜１００Ｃの詳細について説明する。図２は、第１の実施形態に係るエッジの構成の一例を示す図である。なお、エッジ１００Ａ〜１００Ｃは同様の構成を有することから、図２では、それらをエッジ１００として説明する。図２に示すように、エッジ１００は、通信制御Ｉ／Ｆ部１１０と、ＤＢ１２０と、変換装置１３０とを有する。なお、図示していないが、エッジ１００は、回線交換を実行するための処理部をさらに有する。
【００１６】
通信制御Ｉ／Ｆ部１１０は、自装置に接続されたノード及び回線交換型ネットワーク３００に含まれる各エッジと、変換装置１３０との間でやり取りする各種情報に関する通信を制御する。例えば、通信制御Ｉ／Ｆ部１１０は、後述するプレゼンス情報の送受信に係る通信を制御する。
【００１７】
ＤＢ１２０は、図２に示すように、プレゼンス情報記憶領域１２１と、変換情報記憶領域１２２とを有する。ＤＢ１２０は、例えば、ハードディスク、光ディスクなどの記憶装置、または、ＲＡＭ（Random  Access  Memory）、フラッシュメモリ（Flash  Memory）などの半導体メモリ素子であり、エッジ１００によって実行される各種プログラムなどを記憶する。
【００１８】
プレゼンス情報記憶領域１２１は、回線交換型ネットワーク３００を介して通信するノードが最後に実行した通信の履歴情報をノードごとに記憶する。具体的には、プレゼンス情報記憶領域１２１は、ノードが最後に実行した通信の履歴情報として、ノードの最後の発信及び着信を含むプレゼンス情報を記憶する。図３は、第１の実施形態に係るプレゼンス情報記憶領域１２１に記憶されるプレゼンス情報の一例を示す図である。
【００１９】
図３に示すように、プレゼンス情報記憶領域１２１は、ノードＩＤに、最終発信「発信先エッジＩＤ、発信先ノードＩＤ、時刻」と、最終着信「発信元エッジＩＤ、発信元ノードＩＤ、時刻」とを対応付けたプレゼンス情報を記憶する。ここで、「ノードＩＤ」とは、回線交換型ネットワーク３００に接続されたノードを一意に特定するための識別子を示す。また、「発信先エッジＩＤ」とは、発信先のノードが接続されたエッジを一意に特定するための識別子を示す。また、「発信先ノードＩＤ」とは、発信先のノードＩＤを示す。また、最終発信における「時刻」とは、発信先のノードに対する発信を行った時刻を示す。また、「発信元エッジＩＤ」とは、対応するノードに対して発信した発信元のノードが接続されたエッジを一意に特定するための識別子を示す。また、「発信元ノードＩＤ」とは、対応するノードに対して発信した発信元のノードＩＤを示す。また、最終着信における「時刻」とは、対応するノードが着信を行った時刻を示す。
【００２０】
例えば、プレゼンス情報記憶領域１２１は、電話番号、ＦＡＸ番号、ＩＰアドレスなどをノードＩＤとし、それらに最終発信及び最終着信の情報を対応付けたプレゼンス情報を記憶する。仮に、エッジ１００Ａに接続されたノード２００Ａが携帯電話である場合、エッジ１００Ａが有するプレゼンス情報記憶領域１２１は、ノード２００Ａの電話番号に、ノード２００Ａから最後に発信された発信先エッジＩＤ、発信先ノードＩＤ及び時刻と、ノード２００Ａが最後に着信した発信元エッジＩＤ、発信元ノードＩＤ及び時刻とを対応付けて記憶する。
【００２１】
変換情報記憶領域１２２は、後述する変換装置１３０による変換処理に用いられる情報を記憶する。具体的には、変換情報記憶領域１２２は、回線交換型ネットワーク３００を介して通信するノード間の通信において、発信先ノードに接続できなかった場合に、発信先ノードの最終の通信履歴情報を、発信元ノードが解釈可能な形式の情報に変換するためのノード情報及び変換情報を記憶する。
【００２２】
図４Ａは、第１の実施形態に係る変換情報記憶領域１２２に記憶されるノード情報の一例を示す図である。例えば、変換情報記憶領域１２２は、図４Ａに示すように、ノードＩＤに、ノード情報「種類、形式、容量」を対応付けたノード情報を記憶する。ここで、ノード情報「種類」とは、ノードＩＤに対応するノードの種類を示す。また、ノード情報「形式」とは、ノードＩＤに対応するノードが解釈可能な形式を示す。また、ノード情報「容量」とは、ノードＩＤに対応するノードが「画像」を解釈可能な場合の、画像の受信可能容量を示す。
【００２３】
例えば、変換情報記憶領域１２２は、図４Ａに示すように、ノードＩＤに「種類：携帯電話、形式：音声」を対応付けたノード情報を記憶する。すなわち、上述した情報は、ノードＩＤに対応するノードが携帯電話であり、解釈可能な形式が「音声」であることを示す。同様に、変換情報記憶領域１２２は、該記憶領域を有するエッジに接続されたすべてのノードのノード情報を記憶する。
【００２４】
図４Ｂは、第１の実施形態に係る変換情報記憶領域１２２に記憶される変換情報の一例を示す図である。例えば、変換情報記憶領域１２２は、図４Ｂに示すように、ノードＩＤごとの変換情報を記憶する。ここで、「変換情報」とは、ノードＩＤをメッセージに変換するための情報を意味する。
【００２５】
一例を挙げると、変換情報記憶領域１２２は、図４Ｂに示すように、「ノードＩＤ：１１０」に「変換情報：警察、おかけになった電話番号は、〜時〜分〜秒に警察に発信しています。」を対応付けた変換情報を記憶する。ここで、上述した情報は、ノードＩＤ「１１０」は「警察」のノードであり、「１１０」に発信された場合、「おかけになった電話番号は、〜時〜分〜秒に警察に発信しています。」とするメッセージに変換されることを意味する。
【００２６】
図２に戻って、変換装置１３０は、プレゼンス情報更新部１３１と、プレゼンス情報取得部１３２と、プレゼンス情報変換部１３３と、プレゼンス情報通知部１３４とを有する。ここで、変換装置１３０は、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路である。
【００２７】
プレゼンス情報更新部１３１は、回線交換型ネットワーク３００を介した通信において回線が確立された場合に、プレゼンス情報記憶領域１２１に記憶された最終の通信履歴情報を更新する。具体的には、プレゼンス情報更新部１３１は、当該プレゼンス情報更新部１３１を有するエッジに接続されたノードの発信及び着信を監視する。そして、プレゼンス情報更新部１３１は、ノードが発信するごとにプレゼンス情報記憶領域１２１に記憶された当該ノードのプレゼンス情報における最終発信の情報を更新する。
【００２８】
また、プレゼンス情報更新部１３１は、ノードに対して接続が要求され、接続が確立した場合に、プレゼンス情報記憶領域１２１に記憶されたプレゼンス情報における最終着信の情報を更新する。ここで、接続が確立されなかった場合には、プレゼンス情報更新部１３１は、プレゼンス情報を更新しない。
【００２９】
図１におけるエッジ１００Ａに備えられたプレゼンス情報更新部１３１の処理を一例に挙げて説明する。例えば、エッジ１００Ａのプレゼンス情報更新部１３１は、ノード２００Ａが発信するごとに、ノード２００ＡのノードＩＤに対応する最終発信の情報を更新する。すなわち、プレゼンス情報更新部１３１は、ノード２００Ａが発信するごとに、プレゼンス情報記憶領域１２１に記憶されたノード２００ＡのノードＩＤに対応する最終発信「発信先エッジＩＤ、発信先ノードＩＤ、時刻」を更新する（図３参照）。
【００３０】
また、プレゼンス情報更新部１３１は、ノード２００Ａに対する接続要求を監視して、接続が確立した場合に、ノード２００ＡのノードＩＤに対応する最終着信の情報を更新する。すなわち、プレゼンス情報更新部１３１は、ノード２００Ａが着信するごとに、プレゼンス情報記憶領域１２１に記憶されたノード２００ＡのノードＩＤに対応する最終着信「発信元エッジＩＤ、発信元ノードＩＤ、時刻」を更新する（図３参照）。
【００３１】
図２に戻って、プレゼンス情報取得部１３２は、当該プレゼンス情報取得部１３２を有するエッジに接続されたノードが他のノードに対して発信した際に、発信先のノードとの接続が確立できなかった場合、発信先ノードが接続されたエッジから当該発信先ノードのプレゼンス情報を取得する。
【００３２】
図１におけるエッジ１００Ａに備えられたプレゼンス情報取得部１３２の処理を一例に挙げて説明する。例えば、エッジ１００Ａのプレゼンス情報取得部１３２は、ノード２００Ａがノード２００Ｂに対して発信したが、ノード２００Ｂとの接続が確立されなかった場合に、エッジ１００Ｂからノード２００Ｂのプレゼンス情報を取得する。ここで、プレゼンス情報取得部１３２は、ノード２００Ｂのプレゼンス情報である最終発信の情報及び最終着信の情報のうち、最新の情報を取得する。
【００３３】
例えば、エッジ１００Ｂにおいて、ノード２００Ａとノード２００Ｂとの接続が確立しなかった場合に、後述するプレゼンス情報通知部１３４が、ノード２００Ｂの最新のプレゼンス情報をプレゼンス情報記憶領域１２１から取得して、エッジ１００Ａに送信する。すなわち、エッジ１００Ａのプレゼンス情報取得部１３２は、エッジ１００Ｂのプレゼンス情報通知部１３４から送信されたノード２００Ｂの最新のプレゼンス情報を受信する。
【００３４】
一例を挙げると、プレゼンス情報取得部１３２は、ノード２００Ｂの最新のプレゼンス情報として、「発信先エッジＩＤ：エッジ１００Ｂ、発信先ノードＩＤ：１１０、時刻：１４時２０分３５秒」を取得する。
【００３５】
図２に戻って、プレゼンス情報変換部１３３は、回線交換型ネットワーク３００を介した発信元ノードと発信先ノードとの回線が確立できなかった場合に、プレゼンス情報記憶領域１２１に記憶された発信先ノードの履歴情報を、発信元ノードが解釈可能な形式の情報に変換する。具体的には、プレゼンス情報変換部１３３は、変換情報記憶領域１２２に記憶されたノード情報及び変換情報に基づいて、プレゼンス情報取得部１３２によって取得されたプレゼンス情報を発信元ノードが解釈可能な形式に変換する。
【００３６】
ここで、発信元ノードがノード２００Ａ、発信先ノードがノード２００Ｂであり、エッジ１００Ａのプレゼンス情報取得部１３２が、ノード２００Ｂの最新のプレゼンス情報として、「発信先エッジＩＤ：エッジ１００Ｂ、発信先ノードＩＤ：１１０、時刻：１４時２０分３５秒」を取得した場合のエッジ１００Ａのプレゼンス情報変換部１３３の処理を一例に挙げて説明する。
【００３７】
上述した場合、例えば、プレゼンス情報変換部１３３は、ノード情報に基づいてノードＡが「携帯電話」であり、解釈可能な形式が「音声」であることを識別する。そして、プレゼンス情報変換部１３３は、プレゼンス情報取得部１３２によって取得されたノード２００Ｂの最新のプレゼンス情報から「発信先ノードＩＤ：１１０」を抽出する。さらに、プレゼンス情報変換部１３３は、変換情報を参照して、抽出した「発信先ノードＩＤ：１１０」に対応する変換「警察、おかけになった電話番号は、〜時〜分〜秒に警察に発信しています。」を読み出す。
【００３８】
そして、プレゼンス情報変換部１３３は、プレゼンス情報取得部１３２によって取得されたノード２００Ｂの最新のプレゼンス情報から「時刻：１４時２０分３５秒」を抽出して、読み出した変換情報「おかけになった電話番号は、〜時〜分〜秒に警察に発信しています。」に時刻情報を組み込んだ「音声」メッセージ「おかけになった電話番号は、１４時２０分３５秒に警察に発信しています。」を生成する。
【００３９】
上述したように、プレゼンス情報変換部１３３は、発信先ノードのプレゼンス情報「エッジＩＤ、ノードＩＤ、時刻」の情報からメッセージを生成する。ここで、プレゼンス情報変換部１３３は、発信元ノードがＦＡＸやＰＣ、或いは、スマートフォンなど、画像を解釈可能なノードである場合には、メッセージを画像やテキストファイルなどで生成することも可能であり、さらに、画像及び音声の両方でメッセージを作成することも可能である。
【００４０】
図２に戻って、プレゼンス情報通知部１３４は、プレゼンス情報変換部１３３によって変換された発信先ノードの最終の通信履歴情報を発信元ノードに通知する。具体的には、プレゼンス情報通知部１３４は、ノード間の通信において、発信先ノードに接続できなかった場合に、当該発信元ノードの最終の発信及び着信の情報のうち、最新の情報を発信元ノードに通知する。
【００４１】
例えば、プレゼンス情報通知部１３４は、プレゼンス情報変換部１３３によって生成された「音声」メッセージ「おかけになった電話番号は、１４時２０分３５秒に警察に発信しています。」をノード２００Ａに通知する。そして、プレゼンス情報通知部１３４は、その後に、例えば、「現在電話がかかりにくくなっておりますので、時間をおいておかけ直しください。」といった通常のアナウンスを発信元ノードに通知する。
【００４２】
また、プレゼンス情報通知部１３４は、当該プレゼンス情報通知部１３４を有するエッジに接続されたノードに対する発信において、接続が確立しなかった場合に、発信先ノード（前記エッジに接続されたノード）の最新のプレゼンス情報をプレゼンス情報記憶領域１２１から読み出して、発信元のエッジに送信する。
【００４３】
次に、第１の実施形態に係る回線交換型ネットワーク３００における処理の手順について説明する。図５は、第１の実施形態に係る回線交換型ネットワークにおける第１の処理の手順を示すシーケンス図である。なお、図５においては、ノード２００Ａからノード２００Ｂに対して発信が行われ、接続が確立する場合について示す。
【００４４】
図５に示すように、ノード２００Ａからノード２００Ｂに発信されると（ステップＳ１０１）、エッジ１００Ａにおいては、プレゼンス情報更新部１３１が、プレゼンス情報記憶領域１２１に記憶されたノード２００Ａのプレゼンス情報「最終発信」を更新する（ステップＳ１０２）。そして、エッジ１００Ａは、回線交換型ネットワーク３００上に発信要求を送信して（ステップＳ１０３）、エッジ１００Ｂとの間で接続が確立される（ステップＳ１０４）。
【００４５】
さらに、エッジ１００Ｂがノード２００Ｂに対して接続要求を送信して、ノード２００Ｂによって接続要求が受信されると（ステップＳ１０５）、エッジ１００Ｂは、ノード２００Ｂのプレゼンス情報「最終着信」を更新する（ステップＳ１０６）。
【００４６】
図６は、第１の実施形態に係る回線交換型ネットワーク３００における第２の処理の手順を示すシーケンス図である。なお、図６においては、ノード２００Ａからノード２００Ｂに対して発信が行われ、接続が確立しなかった場合について示す。
【００４７】
図６に示すように、ノード２００Ａからノード２００Ｂに発信されると（ステップＳ２０１）、エッジ１００Ａにおいては、プレゼンス情報更新部１３１が、プレゼンス情報記憶領域１２１に記憶されたノード２００Ａのプレゼンス情報「最終発信」を更新する（ステップＳ２０２）。そして、エッジ１００Ａは、回線交換型ネットワーク３００上に発信要求を送信して（ステップＳ２０３）、エッジ１００Ｂとの間で接続が確立される（ステップＳ２０４）。
【００４８】
さらに、エッジ１００Ｂがノード２００Ｂに対して接続要求を送信して、ノード２００Ｂによって接続要求が受信されない場合に、エッジ１００Ｂは、ノード２００Ｂとの接続が不可能であると判定する（ステップＳ２０５）。そして、エッジ１００Ｂにおいては、プレゼンス情報通知部１３４が、ノード２００Ｂの最新のプレゼンス情報をプレゼンス情報記憶領域１２１から読み出して、エッジ１００Ａに対して送信する（ステップＳ２０６）。
【００４９】
そして、ネットワーク３００は、エッジ１００Ｂから送信されたプレゼンス情報を転送して（ステップＳ２０７）、エッジ１００Ａが、プレゼンス情報を受信する。エッジ１００Ａは、プレゼンス情報を受信すると、プレゼンス情報変換部１３３が、変換情報に基づいて、受信したプレゼンス情報を変換して（ステップＳ２０８）する。そして、プレゼンス情報通知部１３４は、変換後のプレゼンス情報をノード２００Ａに送信する（ステップＳ２０９）。
【００５０】
［第１の実施形態の効果］
上述したように、第１の実施形態によれば、プレゼンス情報記憶領域１２１は、回線交換型ネットワーク３００を介して通信するノードが最後に実行した通信の履歴情報をノードごとに記憶する。そして、プレゼンス情報変換部１３３は、回線交換型ネットワーク３００を介して発信元ノードが発信先ノードに接続できなかった場合に、プレゼンス情報記憶領域１２１に記憶された発信先ノードの履歴情報を、発信元ノードが解釈可能な形式の情報に変換する。そして、プレゼンス情報通知部１３４は、プレゼンス情報変換部１３３によって変換された発信先ノードの履歴情報を発信元ノードに通知する。従って、第１の実施形態に係るエッジ１００は、ノード間の回線が確立されなかった場合でも、発信先ノードの最終の通信履歴情報を発信元ノードに通知することで、回線が接続不能な状態であっても、接続先の状況を把握できるようにすることを可能にする。その結果、第１の実施形態に係るエッジ１００は、発信元ノードのユーザによる発信の再試行を低減させ、輻輳を抑止することができ、回線が接続不能な状態になることを抑止することを可能にする。
【００５１】
例えば、本実施形態に係るエッジは、大規模災害などの緊急的事象が発生した場合に、より顕著な効果を発揮することができる。図７は、第１の実施形態に係るエッジ１００によるプレゼンス情報の流通のタイミングの一例を示す図である。上述したように、第１の実施形態に係るエッジ１００は、発信先ノードとの接続が確立しなかった場合に、発信先ノードの最新の通信履歴情報（プレゼンス情報）を発信元ノードに通知する。すなわち、第１の実施形態に係るエッジは、例えば、図７に示すように、通常接続時のノード間の通信を、緊急的な事象が発生した場合に、プレゼンス情報を流通させる通信に切り替える。
【００５２】
図８は、第１の実施形態に係るプレゼンス情報の流通の第１のタイミングにおける処理の手順を示すシーケンス図である。なお、図８に示すステップＳ２０１〜ステップＳ２０９までの処理は、図６に示す処理と同様であることから、詳細な説明を省略する。図８に示すように、第１の実施形態に係る回線交換型ネットワーク３００においては、緊急的事象発生以後の通信に関して、接続が不可能となったノードの最新のプレゼンス情報を発信元ノードに通知する。
【００５３】
これは、例えば、ノードのユーザが専用の手続きを実行しなければならない災害用伝言ダイヤルとは異なり、ユーザは、通常と変らない通信を実行しているだけで、自動的にプレゼンス情報が登録され、緊急的事象の発生時に自動でプレゼンス情報を入手することを可能にする。このように、第１の実施形態に係るエッジ１００は、回線が接続不能な状態であっても、接続先の状況を把握させることができる。従って、ユーザが非常時に使用方法が分からずに録音できず、探したい人の番号が登録されていないなどの問題が生じることがなく、安否確認を行いたいユーザに対して、被災者が本当に安全な状態にないために登録されていないのか、或いは、単に登録していないだけなのか区別できないために増大される不安を低減することができる。その結果、更なる輻輳の発生を抑止することができ、回線が接続不能な状態に陥ることを抑止することができる。
【００５４】
また、第１の実施形態によれば、プレゼンス情報記憶領域１２１は、ノードが最後に実行した通信の履歴情報として、ノードの最後の発信及び着信の情報を記憶する。そして、プレゼンス情報通知部１３４は、発信元ノードが発信先ノードに接続できなかった場合に、当該発信先ノードの最終の発信及び着信の情報のうち、最新の情報を発信元ノードに通知する。従って、第１の実施形態に係るエッジ１００は、発信先ノードのユーザの最新の動向を発信元ユーザに提供することができ、発信元ユーザの不安をより低減させることを可能にする。
【００５５】
また、第１の実施形態によれば、プレゼンス情報更新部１３１は、回線交換型ネットワークを介した通信において回線が確立された場合に、プレゼンス情報記憶領域１２１に記憶された履歴情報を更新する。従って、第１の実施形態に係るエッジ１００は、常に最新のプレゼンス情報を保持することを可能にする。
【００５６】
（第２の実施形態）
これまで第１の実施形態を説明したが、本願に係る実施形態は、第１の実施形態に限定されるものではない。すなわち、これらの実施形態は、その他の様々な形態で実行されることが可能であり、種々の省略、置き換え、変更を行うことができる。
【００５７】
上述した第１の実施形態においては、リング型の回線交換型ネットワークに含まれるエッジそれぞれが自装置に接続されたノードのプレゼンス情報を有し、発信元エッジが発信先エッジからプレゼンス情報を取得する場合について説明した。しかしながら、実施形態はこれに限定されるものではなく、例えば、スター型の回線交換型ネットワークにおいて、全ての通信が経由する回線交換機が変換装置とプレゼンス情報とを有し、発信元ノードに対して発信先ノードのプレゼンス情報を通知する場合であってもよい。
【００５８】
また、上述した第１の実施形態においては、プレゼンス情報としてノードごとの最終発信及び最終着信を記憶する場合について説明した。しかしながら、実施形態はこれに限定されるものではなく、例えば、発信又は着信が実行された際のノードの所在地を合わせて記憶し、非常時に通知するメッセージに所在地の情報を含ませる場合であってもよい。一例を挙げると、「おかけになった電話番号は、１４時２０分３５秒に福島県内から発信しています。」とするメッセージを発信元ノードに通知する場合であってもよい。
【００５９】
また、上述した第１の実施形態においては、ノードが電話である場合を一例に挙げて説明したが、実施形態はこれに限定されるものではなく、例えばノードがＦＡＸやＰＣの場合であってもよい。かかる場合には、例えば、「送信先のファクシミリは、１４時２０分３５秒に発信しています。」や、「送信先のファクシミリは、１４時２０分３５秒に着信しています。」といった内容と、「繋がりにくくなっておりますので、時間をおいておかけ直しください。」といった内容とを画像に変換し、送信元のＦＡＸに対して通知する。
【００６０】
また、上述した第１の実施形態においては、発信先ノードのプレゼンス情報における発信先の情報（上述した例では、警察）を発信元ノードに通知する場合について説明した。しかしながら、実施形態はこれに限定されるものではなく、例えば、発信又は着信の情報のみを通知する場合であってもよい。一例を挙げると、「おかけになった電話番号は、１４時２０分３５秒に発信しています。」といった内容のメッセージを発信元ノードに通知する場合であってもよい。
【００６１】
また、各装置の分散・統合の具体的形態（例えば、図２の形態）は図示のものに限られず、その全部又は一部を、各種の負荷や使用状況などに応じて、任意の単位で機能的又は物理的に分散・統合することができる。一例を挙げると、プレゼンス情報記憶領域１２１と、変換情報記憶領域１２２とを１つの記憶領域として統合してもよく、一方、プレゼンス情報通知部１３４を、発信先ノードのプレゼンス情報をエッジに送信する送信部と、メッセージを発信元ノードに通知する通知部とに分散してもよい。
【００６２】
また、変換装置１３０をエッジ１００の外部装置としてネットワーク経由で接続するようにしてもよく、或いは、プレゼンス情報更新部１３１及びプレゼンス情報変換部１３３とを別の装置がそれぞれ有し、ネットワークに接続されて協働することで、上述したエッジ１００の機能を実現するようにしてもよい。
【００６３】
上述した実施形態で説明したエッジ１００は、あらかじめ用意されたプログラムをコンピュータで実行することで実現することもできる。そこで、以下では、図２に示したエッジ１００と同様の機能を実現する情報流通プログラムを実行するコンピュータの一例を説明する。
【００６４】
図９は、第２の実施形態に係る情報流通プログラムを実行するコンピュータ１０００を示す図である。図９に示すように、コンピュータ１０００は、例えば、メモリ１０１０と、ＣＰＵ（Central  Processing  Unit）１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。 
【００６５】
メモリ１０１０は、ＲＯＭ（Read  Only  Memory）１０１１およびＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。ディスクドライブ１１００には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。 
【００６６】
ここで、図９に示すように、ハードディスクドライブ１０９０は、例えば、ＯＳ（Operating  System）１０９１、アプリケーションプログラム１０９２、プログラムモジュール１０９３およびプログラムデータ１０９４を記憶する。第２の実施形態に係る情報流通プログラムは、例えば、コンピュータ１０００によって実行される指令が記述されたプログラムモジュールとして、例えばハードディスクドライブ１０９０に記憶される。具体的には、上記実施形態で説明したプレゼンス情報更新部１３１と同様の情報処理を実行する更新ステップと、プレゼンス情報取得部１３２と同様の情報処理を実行する取得ステップと、プレゼンス情報変換部１３３と同様の情報処理を実行する変換ステップと、プレゼンス情報通知部１３４と同様の情報処理を実行する通知ステップとが記述されたプログラムモジュールが、ハードディスクドライブ１０９０に記憶される。 
【００６７】
また、上記実施形態で説明したデータベースに記憶されるデータのように、情報流通プログラムによる情報処理に用いられるデータは、プログラムデータとして、例えば、ハードディスクドライブ１０９０に記憶される。そして、ＣＰＵ１０２０が、ハードディスクドライブ１０９０に記憶されたプログラムモジュールやプログラムデータを必要に応じてＲＡＭ１０１２に読み出して、更新ステップと、取得ステップと、変換ステップと、通知ステップとを実行する。
【００６８】
なお、情報流通プログラムに係るプログラムモジュールやプログラムデータは、ハードディスクドライブ１０９０に記憶される場合に限られず、例えば、着脱可能な記憶媒体に記憶されて、ディスクドライブ１１００等を介してＣＰＵ１０２０によって読み出されてもよい。あるいは、情報流通プログラムに係るプログラムモジュールやプログラムデータは、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【００６９】
これらの実施形態やその変形は、本願が開示する技術に含まれると同様に、特許請求の範囲に記載された発明とその均等の範囲に含まれるものである。
【符号の説明】
【００７０】
１００、１００Ａ、１００Ｂ、１００Ｃ  エッジ
１１０  通信制御Ｉ／Ｆ部
１２０  ＤＢ
１２１  プレゼンス情報記憶領域
１２２  変換情報記憶領域
１３０  変換装置
１３１  プレゼンス情報更新部
１３２  プレゼンス情報取得部
１３３  プレゼンス情報変換部
１３４  プレゼンス情報通知部
２００Ａ、２００Ｂ、２００Ｃ、２００Ｄ  ノード
３００  回線交換型ネットワーク
【図１】
2013229822.tif 000003
【図２】
2013229822.tif 000004
【図３】
2013229822.tif 000005
【図４Ａ】
2013229822.tif 000006
【図４Ｂ】
2013229822.tif 000007
【図５】
2013229822.tif 000008
【図６】
2013229822.tif 000009
【図７】
2013229822.tif 000010
【図８】
2013229822.tif 000011
【図９】
2013229822.tif 000012